(57)【要約】【課題】フィルタに蓄積した塵埃の点検を不要とし、また、フィルタの交換頻度回数を低減することができるエレベータの除塵装置を得る。【解決手段】エレベータのかご室２の天井３の一側に開口する吸気口４と他側に開口する排気口５とをかご室２の外方で連通する通風路６，７と、この通風路６，７の途中に設けられ、かご室２内の空気を吸気口４から吸い込み排気口５から吐き出す空調機８と、吸気口４側の通風路６，７に設けられ、循環する外気を濾過して塵埃を取り除くフィルタカセット１０とを備え、フィルタカセット１０は、長尺帯状のフィルタ体１１と、このフィルタ体１１の長手方向一端側が巻回されて回転時にフィルタ体１１を巻き取る巻き取りロール１３と、フィルタ体１１の長手方向他端側が巻回されて回転時にフィルタ体１１を送り出す供給ロールとを有する。【選択図】        図１
2004284807.tif 000002
【特許請求の範囲】
【請求項１】
エレベータのかご室の天井の一側に開口する吸気口と該天井の他側に開口する排気口とを前記かご室の外方で連通する通風路と、
前記通風路の途中に設けられ、かご室内の空気を前記吸気口から吸い込むとともに該空気を前記排気口から前記かご室内に吐き出す空気循環機と、
前記吸気口側の通風路に設けられ、循環する外気を濾過して塵埃を取り除くフィルタカセットとを備えたエレベータの除塵装置において、
前記フィルタカセットは、長尺帯状のフィルタ体と、このフィルタ体の長手方向一端側が巻回されて回転時に該フィルタ体を巻き取る巻き取りロールと、前記フィルタ体の長手方向他端側が巻回されて回転時に該フィルタ体を送り出す供給ロールとを有する
ことを特徴とするエレベータの除塵装置。
【請求項２】
前記フィルタカセットは、前記巻き取りロールを回転駆動する駆動手段と、タイマを有し前記駆動手段に対して予め設定した所定周期ごとに駆動指令を発する制御手段とを有する
ことを特徴とする請求項１に記載のエレベータの除塵装置。
【請求項３】
前記フィルタカセットは、前記天井の前記吸気口が形成された位置のかご室内部側の面に設けられている
ことを特徴とする請求項１または２に記載のエレベータの除塵装置。
【請求項４】
前記フィルタカセットの下方に設けられ、該フィルタカセットから落下した塵埃を捕獲するカバーをさらに備えた
ことを特徴とする請求項３に記載のエレベータの除塵装置。
【請求項５】
前記フィルタカセットは、前記通風路の水平部に前記フィルタ体の濾過領域面が鉛直となるように設けられている
ことを特徴とする請求項１から４のいずれかに記載のエレベータの除塵装置。
【発明の詳細な説明】
【０００１】
【発明の属する技術分野】
この発明は、エレベータのかご室内の空気を循環させながら空気中の塵埃を取り除くエレベータの除塵装置に関し、特にこの除塵装置の濾過手段の改良に関するものである。
【０００２】
【従来の技術】
近年、エレベータのかご室に空調装置を設置することにより、かご室内の冷暖房や除湿等を行えるようにしたエレベータが普及しつつある。そして、エレベータのかご室の天井に吸気口と排気口と形成し、この吸気口と排気口とをかご室の外方で連通する通風路を設け、この通風路の途中に冷房装置を設置することが提案されている（例えば、特許文献１参照）。
【０００３】
【特許文献１】
特開平１１−９２０６０号公報（第２頁、第１図）
【０００４】
【発明が解決しようとする課題】
このような構成の従来のエレベータの空調装置は、空調装置に設けられたフィルタには空気中から集塵した塵埃が付着する。そして、この塵埃の堆積量が多くなると空気の通過が悪くなり空調効率が低下する。そのため、フィルタを適宜清掃したり交換したりするなどして、ろ過能力が過度に低下しないように保全管理する必要がある。しかしながら、空調装置のフィルタの定期点検及び取り外し清掃作業等に関しては、空調装置がエレベータの上部に設置してあるので多大の労力を必要とし問題であった。
【０００５】
この発明は、上述のような課題を解決するためになされたもので、フィルタに蓄積した塵埃の点検を不要とし、また、フィルタの交換頻度回数を低減することができるエレベータの除塵装置を得ることを目標としている。
【０００６】
【課題を解決するための手段】
この発明に係るエレベータの除塵装置は、エレベータのかご室の天井の一側に開口する吸気口と天井の他側に開口する排気口とをかご室の外方で連通する通風路と、通風路の途中に設けられ、かご室内の空気を吸気口から吸い込むとともに空気を排気口からかご室内に吐き出す空気循環機と、吸気口側の通風路に設けられ、循環する外気を濾過して塵埃を取り除くフィルタカセットとを備えたエレベータの除塵装置において、フィルタカセットは、長尺帯状のフィルタ体と、このフィルタ体の長手方向一端側が巻回されて回転時にフィルタ体を巻き取る巻き取りロールと、フィルタ体の長手方向他端側が巻回されて回転時にフィルタ体を送り出す供給ロールとを有する。
【０００７】
【発明の実施の形態】
実施の形態１．
図１はこの発明のエレベータの除塵装置の実施の形態１を示すかご室上部の縦断面図である。また、図２は図１のフィルタカセットの正面図である。図３は図１のフィルタカセットの平面図である。図４は図３のＩＶ−ＩＶ線に沿う矢視断面図である。本実施の形態の除塵装置１に関して以下に説明する。図１において、エレベータのかご室２の天井３の一側に吸気口４が形成されている。一方、天井３の他側に排気口５が形成されている。吸気口４と排気口５は、吊天井１７の陰に隠れて乗客からは見えない位置に形成されている。
【０００８】
かご室２の上方外方に空気循環機としての空調機８が配設されている。吸気口４と空調機８との間に両者を連通するように吸気ダクト６が設けられている。また、排気口５と空調機８との間に両者を連通するように排気ダクト７が設けられている。
【０００９】
空調機８は、かご室２内の空気を吸気口４から吸い込み、この吸い込んだ空気に対して除湿或いは冷却等をした後、この空気を排気口５からかご室２内に吐き出す。空調機８は、このようにしてかご室２内の空気を循環させながらかご室２内の空調をする。吸気口４、吸気ダクト６、排気ダクト７及び排気口５は、循環する空気の通風路を形成している。
【００１０】
天井３の吸気口４が形成された位置のかご室２外方側の面３ａに、フィルタカセット１０が着脱自在に設けられている。フィルタカセット１０は、長尺帯状の、例えばサラン材からなるメッシュ地のフィルタ体１１を有している。このフィルタ体１１の長手方向の一端側は、巻き取りロール１３に巻回されている。また、他端側は、供給ロール１２に巻回されている。図４に示されるように、両ロール１２、１３の近傍には、フィルタ体１１に所定の張力を与え、且つ所定の濾過領域面１１ａに広げる目的で、供給ロール側ガイドローラ１２ａと巻き取りロール側ガイドローラ１３ａが設けられている。巻き取りロール１３には、駆動手段としての巻き取りモータ１５が接続されている。そして、巻き取りモータ１５には、制御手段としての制御器２０が電気的に接続されている。
【００１１】
制御器２０は、フィルタカセット１０を手動モードと自動モードとの間で切り換える手動・自動切換スイッチ２０ａ、設定時間毎に巻き取りモータ１５を駆動動作させるためのタイマ２０ｂ、及びフィルタ体１１の巻き取り回数を計数するカウンタ２０ｃを有している。
【００１２】
次に、動作を含めてさらに説明する。エレベータのかご室２の天井３の一方に開口して設けられた吸気口４に連通する吸気ダクト６の吸気口４側にフィルタカセット１０を取付ける。このフィルタカセット１０は、中央に開口部１０ｂが形成された取付枠１０ａを有している。そして、上述のように、長尺帯状のフィルタ体１１と、このフィルタ体１１の長手方向一端側が巻回されて回転時にこのフィルタ体１１を巻き取る巻き取りロール１３と、フィルタ体１１の長手方向他端側が巻回されて回転時にフィルタ体１１を送り出す供給ロール１２とを有している。図３及び図４に示されるように、フィルタ体１１は、供給ロール側ガイドローラ１２ａと巻き取りロール側ガイドローラ１３ａに支持されて、開口部１０ｂに略一致する濾過領域面１１ａに広がる。そして、この濾過領域面１１ａには、図４に矢印で示すように通風路を循環する空気が通過する。
【００１３】
制御器２０は、空調機８が動作中の条件でタイマ２０ｂを作動させる。タイマ２０ｂの作動時間が予め設定されている設定時間、例えば２０時間に達すると、制御器２０は、巻き取りモータ１５に対して駆動指令を発する。
【００１４】
制御器２０から駆動指令が発せられると、巻き取りモータ１５は、予め設定された時間だけ駆動し、巻き取りロール１３を所定回転数回転させてその後停止する。これにより、巻き取りロール１３がフィルタ体１１を所定長さ巻き取るとともに、供給ロール１２が連動して回転し巻装状態のフィルタ体１１を所定長さ送り出す。このようにして、フィルタカセット１０は、巻き取りモータ１５によって巻き取りロール１３を所定量回転させることにより、長尺なフィルタ体１１のうち塵埃に汚染されている部分を巻き取って、供給ロール１２に巻回されていた未汚染部分を開口部１０ｂを被覆するろ過領域に、濾過領域面１１ａとして露出させることができるので、煩雑な清掃作業を行うことなく、フィルタカセット１０のろ過能力を良好な状態に保つことができる。
【００１５】
しかも、このフィルタカセット１０においては、制御器２０が所望の周期ごとに巻き取りモータ１５に対し駆動指令を発するので、エレベータによってばらつきがあるフィルタ体１１の汚染進行速度に応じて前記周期を設定しておくことにより、どのようなエレベータであっても常に適切なタイミングで、フィルタ体１１の汚染されている部分を巻き取って汚染されていない部分をろ過領域に露出させることができる。それゆえ、例えばフィルタ体１１の汚染進行速度が速いエレベータの場合であっても、それに応じて巻き取りを行う周期を設定しておけば、ろ過能力が不所望に低下することなく良好に運転することができる。
【００１６】
一方、巻き取りロール１３による巻き取り動作が１回行われる毎に、カウンタ２０ｃは、動作回数を１加算する。そして、この動作回数が設定回数（１つのフィルタカセット１０が巻き取り動作を行え得る回数）に達すると、図示しない表示灯が点灯し、自動運転が停止するのでフィルタカセット１０を交換する。そのため、フィルタ体１１の全てが巻き取られ、未汚染部分がない状態で長時間放置されることが無くなり装置の機能性が向上する。
【００１７】
このように、フィルタカセット１０は、煩雑な清掃が不要であるだけでなく、前記周期を予め設定しておきさえすれば自動的にフィルタ体１１の巻き取り交換が行えるというものなので、保全管理の作業性を著しく向上させることができる。
【００１８】
このような構成の本実施の形態の除塵装置１は、エレベータのかご室２の天井３の一側に開口する吸気口４とこの天井の他側に開口する排気口５とをかご室２の外方で連通する通風路としての吸気ダクト６及び排気ダクト７と、この通風路の途中に設けられ、かご室２内の空気を吸気口４から吸い込むとともに、この空気を排気口５からかご室２内に吐き出す空気循環機としての空調機８と、吸気口４側の通風路に設けられ、循環する外気を濾過して塵埃を取り除くフィルタカセット１０とを備え、フィルタカセット１０は、長尺帯状のフィルタ体１１と、このフィルタ体１１の長手方向一端側が巻回されて回転時にフィルタ体１１を巻き取る巻き取りロール１３と、フィルタ体１１の長手方向他端側が巻回されて回転時にフィルタ体１１を送り出す供給ロールとを有する。そのため、煩雑な清掃が不要となる。
【００１９】
さらに、フィルタカセット１０は、巻き取りロール１３を回転駆動する駆動手段としての巻き取りモータ１５と、タイマ２０ｂを有しこの巻き取りモータ１５に対して予め設定した所定周期ごとに駆動指令を発する制御手段としての制御器２０とを有する。そのため、フィルタの掃除が長期間不要となり、フィルタ取換えに要する作業が軽減されると共に、循環空気は常に未汚染のフィルタによって除塵されるので常に清浄な空気を乗客室に供給できる効果がある。
【００２０】
尚、本実施の形態においては、空気循環機としての空調機８を備えているが、除塵機能だけを考えた場合には、少なくとも空気を循環させる機能を有すればよいので必ずしも空調機８でなくともよく、例えば、送風機、冷房機等であってもよい。
【００２１】
また、本実施の形態の巻き取りモータ１５は、制御器２０から駆動指令が発せられると、予め設定された時間だけ駆動し、巻き取りロール１３を所定回転数回転させてその後停止するが、これに限らず、フィルタ体１１の移動に伴い回転する検出ローラを設けたり、巻き取りロール１３に立設したピンがスイッチを蹴るような構造を用いたりして、これらの検出信号によって巻き取りモータ１５の作動時間を制御し、巻き取りロール１３の回転回数が所望のものとなるようにしてもよい。
【００２２】
実施の形態２．
図５はこの発明のエレベータの除塵装置の実施の形態２を示すかご室上部の縦断面図である。また、図６は図５のフィルタカセットの正面図である。上述実施の形態１の除塵装置１おいては、フィルタカセット１０は、天井３の吸気口４が形成された位置のかご室２外方側の面３ａに、天井３と吸気ダクト６に挟まれて設けられていたが、本実施の形態の除塵装置１０１においては、フィルタカセット１０は、天井３の吸気口４が形成された位置のかご室２内部側の面３ｂに設けられている。そして、本実施の形態の除塵装置１０１は、フィルタカセット１０の下方に配設されたカバー１６をさらに有している。
【００２３】
図６に示されるように、カバー１６は、天井３から支持されてフィルタカセット１０の下方に所定の間隔を空けて設けられ、フィルタカセット１０から落下した塵埃を捕獲する。尚、カバー１６は、かご室２内から容易に着脱自在、または容易に開閉自在に設けられている。その他の構成は実施の形態１と同様である。
【００２４】
このような構成の除塵装置１０１においては、フィルタカセット１０は、天井３の吸気口４が形成された位置のかご室２内部側の面３ｂに設けられているので、制御器２０の設定操作が容易にできるとともに、フィルタカセット１０の交換を容易に行うことができる。
【００２５】
実施の形態３．
図７はこの発明のエレベータの除塵装置の実施の形態３を示すかご室上部の縦断面図である。本実施の形態の除塵装置２０１においては、フィルタカセット１０は、吸気ダクト６の水平部６ａにフィルタ体１１の濾過領域面１１ａが鉛直となるように設けられている。その他の構成は実施の形態１と同様である。
【００２６】
このような構成の除塵装置２０１においては、フィルタカセット１０は、吸気ダクト６の水平部６ａにフィルタ体１１の濾過領域面１１ａが鉛直となるように設けられているので、濾過領域面１１ａに堆積した塵埃が脱落しても吸気口４からかご室２内に落下することなく、乗客に不快を感じさせない効果がある。また、脱落した塵埃は水平部６ａに残留するので定期点検の際に除去することができる。
【００２７】
【発明の効果】
この発明の除塵装置は、エレベータのかご室の天井の一側に開口する吸気口とこの天井の他側に開口する排気口とをかご室の外方で連通する通風路としての吸気ダクト及び排気ダクトと、この通風路の途中に設けられ、かご室内の空気を吸気口から吸い込むとともに、この空気を排気口からかご室内に吐き出す空気循環機としての空調機と、吸気口側の通風路に設けられ、循環する外気を濾過して塵埃を取り除くフィルタカセットとを備え、フィルタカセットは、長尺帯状のフィルタ体と、このフィルタ体の長手方向一端側が巻回されて回転時にフィルタ体を巻き取る巻き取りロールと、フィルタ体の長手方向他端側が巻回されて回転時にフィルタ体を送り出す供給ロールとを有するので、煩雑な清掃が不要となり、さらに、フィルタカセットは、巻き取りロールを回転駆動する駆動手段としての巻き取りモータと、タイマを有しこの巻き取りモータに対して予め設定した所定周期ごとに駆動指令を発する制御手段としての制御器とを有する。そのため、フィルタの掃除が長期間不要となり、フィルタ取換えに要する作業が軽減されると共に、循環空気は常に未汚染のフィルタによって除塵されるので常に清浄な空気を乗客室に供給できる効果がある。
【図面の簡単な説明】
【図１】この発明のエレベータの除塵装置の実施の形態１を示すかご室上部の縦断面図である。
【図２】図１の除塵装置のフィルタカセットの正面図である。
【図３】図１の除塵装置のフィルタカセットの平面図である。
【図４】図３のＩＶ−ＩＶ線に沿う矢視断面図である。
【図５】この発明のエレベータの除塵装置の実施の形態２を示すかご室上部の縦断面図である。
【図６】図５の除塵装置のフィルタカセットの正面図である
【図７】この発明のエレベータの除塵装置の実施の形態３を示すかご室上部の縦断面図である。
【符号の説明】
１，１０１，２０１  除塵装置、２  かご室、３  天井、４  吸気口（通風路）、５  排気口（通風路）、６  吸気ダクト（通風路）、６ａ  吸気ダクト水平部（通風路）、７  排気ダクト（通風路）、８  空調機（空気循環機）、１０  フィルタカセット、１０ａ  取付枠、１０ｂ  開口部、１１  フィルタ体、１２供給ロール、１２ａ  供給ロール側ガイドローラ、１３  巻き取りロール、１３ａ  巻き取りロール側ガイドローラ、１５  巻き取りモータ（駆動手段）、１６  カバー、１７  吊天井、２０  制御器（制御手段）、２０ａ  手動・自動切換スイッチ、２０ｂ  タイマ、２０ｃ  カウンタ。
【図１】
2004284807.tif 000003
【図２】
2004284807.tif 000004
【図３】
2004284807.tif 000005
【図４】
2004284807.tif 000006
【図５】
2004284807.tif 000007
【図６】
2004284807.tif 000008
【図７】
2004284807.tif 000009